【手続補正書】
【提出日】平成17年5月11日(2005.5.11)
【手続補正１】
【補正対象書類名】特許請求の範囲
【補正対象項目名】全文
【補正方法】変更
【補正の内容】
【特許請求の範囲】
【請求項１】
複数の積層された光導波路であって、各導波路は入口面及び出口面を各導波路の対向する端部に有し、各導波路は少なくとも１つのクラッド層に接触するコアで形成され、前記少なくとも１つのクラッド層は少なくとも１つの黒色層を有する、複数の積層された光導波路を有し、
前記複数の出口面は光学パネル出口面を形成し、該光学パネル出口面は表面積で少なくとも１／２の黒色層を有することを特徴とする光学パネル。
【請求項２】
更に、少なくとも１つの導波路の前記入口面に設けられた少なくとも１つのリディレクターを有することを特徴とする請求項１の光学パネル。
【請求項３】
前記少なくとも１つのリディレクターは、入射する光を、前記複数の入口面の少なくとも１つの前記コアへと再指向させることを特徴とする請求項２の光学パネル。
【請求項４】
前記リディレクターは、プリズム構造を有することを特徴とする請求項３の光学パネル。
【請求項５】
前記プリズム構造は、透過型光再指向素子を有することを特徴とする請求項４の光学パネル。
【請求項６】
前記コアは、少なくとも１つのポリマーを含むことを特徴とする請求項１の光学パネル。
【請求項７】
前記コアは、プラスチックを含むことを特徴とする請求項１の光学パネル。
【請求項８】
前記コアは、ガラスを含むことを特徴とする請求項１の光学パネル。
【請求項９】
前記コアは、それぞれ厚さが約０．００１インチ（２５．４μｍ）〜約０．０２０インチ（５０８μｍ）の範囲内にあることを特徴とする請求項１の光学パネル。
【請求項１０】
前記複数の出口面は光学パネル出口面を形成し、該光学パネル出口面は表面積で少なくとも４／５の黒色層を有することを特徴とする請求項１の光学パネル。
【請求項１１】
各導波路の前記黒色層は、前記入口面へと延在することを特徴とする請求項１の光学パネル。
【請求項１２】
各導波路の前記黒色層は、前記リディレクターを通して延在することを特徴とする請求項２の光学パネル。
【請求項１３】
更に、前記リディレクターに入射する光を発生する光発生器を有することを特徴とする請求項２の光学パネル。
【請求項１４】
前記光発生器は、光源を有することを特徴とする請求項１３の光学パネル。
【請求項１５】
前記光発生器は更に、光変調器と、結像光学系と、を有することを特徴とする請求項１４の光学パネル。
【請求項１６】
前記光源からの前記光は、画素群を規定するように前記光変調器によって変調されることを特徴とする請求項１５の光学パネル。
【請求項１７】
前記導波路は、リボンの形態であることを特徴とする請求項１の光学パネル。
【請求項１８】
複数の積層された光導波路であって、各導波路は入口面及び出口面を各導波路の対向する端部に有し、各導波路は少なくとも１つのクラッド層に接触するコアで形成され、前記少なくとも１つのクラッド層は少なくとも１つの黒色層を有する、複数の積層された光導波路を有し、
前記少なくとも１つの黒色層は第１の厚さを有し、前記コアは第２の厚さを有し、前記第１の厚さは、前記第２の厚さの少なくとも２倍より大きいことを特徴とする光学パネル。
【請求項１９】
前記第１の厚さは、前記第２の厚さの少なくとも４倍より大きいことを特徴とする請求項１８の光学パネル。
【請求項２０】
前記導波路は、リボンの形態であることを特徴とする請求項１８の光学パネル。
【請求項２１】
複数の積層された光導波路であって、各導波路は入口面及び出口面を各導波路の対向する端部に有し、各導波路は少なくとも１つのクラッド層に接触するコアで形成され、隣接するクラッド層間に黒色層が設けられている、複数の積層された光導波路を有し、
前記複数の出口面は光学パネル出口面を形成し、該光学パネル出口面は表面積で少なくとも１／２の黒色層を有することを特徴とする光学パネル。
【請求項２２】
更に、少なくとも１つの導波路の前記入口面に設けられた少なくとも１つのリディレクターを有することを特徴とする請求項２１の光学パネル。
【請求項２３】
前記導波路は、リボンの形態であることを特徴とする請求項２１の光学パネル。
【手続補正２】
【補正対象書類名】明細書
【補正対象項目名】００１２
【補正方法】変更
【補正の内容】
【００１２】
複数の積層された導波路１６ａは、パネル１０のボディー１８を形成し、この積層体１６ａの一端部において入口面１２を、又第２の端部において出口面１６を形成する。導波路１６ａは、限定されるものではないが、例えばプラスチック類、又はガラスのような、それを通して電磁波を通過させるのに適することが斯界にて知られている任意の材料で形成することができる。本発明の好ましい実施態様は、個別のガラス、プラスチック又はポリマーのシートを用いて実施され、これらは、典型的には、厚さが０．００１〜０．０２０インチ（２５．４〜５０８μｍ）であり、又扱いやすい長さ及び幅であってよい。勿論、ディスプレイの全体の寸法に応じて、各個々のガラス、プラスチック又はポリマーのシートのために他の厚さを採用することができる。使用されるポリマーは、適当なプラスチックラミネート、例えばジェネラル・エレクトリック・カンパニー（登録商標）から市販されているＬｅｘａｎ（レクサン）（登録商標）、又はプレキシガラス（Ｐｌｅｘｉｇｌａｓｓ）のようなポリマー類若しくはアクリル類などであってよい。
【手続補正３】
【補正対象書類名】明細書
【補正対象項目名】００１８
【補正方法】変更
【補正の内容】
【００１８】
入口面１２及び出口面１６は、複数の導波路１６ａで形成され、各導波路１６ａの一端部はその導波路のための入口を形成し、各導波路１６ａの反対側の端部はその導波路１６ａのための出口を形成する。各導波路１６ａは、水平方向に延在し、複数の積層された導波路１６ａは垂直方向に延びる。光１４は、限定されるものではないが、例えばビデオ画像の形態にて出口面上に表示することができる。従って、好ましい実施態様では、複数の導波路１６ａは、水平線と略平行に積み重ねられ、斯くして出口面１６及び入口面１２を、水平線に対し同一面内で、水平線から略等距離に配置する。
【手続補正４】
【補正対象書類名】明細書
【補正対象項目名】００１９
【補正方法】変更
【補正の内容】
【００１９】
入口面１２は、複数の積層された光導波路１６ａによって形成される。入口面１２は、ボディー１８の一端部に位置し、光発生器２１からの光１４を受容する。入口面は、平坦若しくは鋸歯状であってよい。黒色層は、出口面へと延在していてよいが、図１に示すように、リディレクター１９までは延在しないか、又は、図２に示すように、リディレクター１９を通して延在していてよい。好ましい実施態様においては、入口面１２は、その上に、例えば接着剤、エポキシ又はエンボス加工によってそれに固定された、少なくとも１つのリディレクター１９を有する。出口面１６は、ボディー１８の前面として規定され、そして出口面は、図１及び２に示すように平坦であるか、又は図３に示すように例えば中央コアの出口点に近接し又これを含む平坦領域だけを有するような鋸歯状であってよい。出口面１６は、付加的に、例えばエンボス加工によって包含しているか、又は付着などによってその上に有する、拡散器（ディフューザー）を、例えば、観察者に対し改善された画像を提供するように有していてよい。尚、パネル１０は、出口面１６の頂部から底部までの高さを有し、又出口面１６の左側から右側への幅を有する。幅及び高さは、例えば、典型的なテレビジョンの用途での使用のために、４：３又は１６：９の幅対高さのアスペクト比を生成するように選択することができる。
【手続補正５】
【補正対象書類名】明細書
【補正対象項目名】００２０
【補正方法】変更
【補正の内容】
【００２０】
光発生器２１は光１４を発生し、又光を入口面１２へと通過させる。光１４は、好ましくは、急な入射角にてリディレクター１９を射る。光発生器２１は、例えばオーバーヘッドプロジェクターのような白色光投影器（プロジェクター）であってよく、或いは例えばビデオ又はムービープロジェクターのような、光源、及び／又は光変調器（ライトモジュレーター）、及び／又は結像光学系を有していてよい。光１４は、最初に、例えば、光源によって発生することができる。光源は、例えば、明るい白熱電球、レーザ、アーク灯、ＬＥＤ、ＲＦ励起ガス放電灯、任意の固体（半導体）光源、又は任意の燐光性（ホスホレセント）、発光性（ルミネセント）、若しくは白熱性の光源であってよい。光源からの光１４は、次いで斯界において画素（ピクセル）として知られている個々の描画要素を規定するように、変調器によって変調することができる。或いは、光は、例えばオン／オフスイッチのような、単純な照明されたアイテムを規定することができる。結像光学系は、光折り返しミラー類又はレンズ類を有していてよい。光学系は、出口面１６へと画像を正確に供給するために、所望により光１４を圧縮若しくは拡大及び集束（フォーカシング）するように、出口面１６と光変調器との間に光学的に整列することができる。光１４は、リディレクター１９から入口面１２に入った後、パネルボディー１８を通して出口面１６へと進む。
【手続補正６】
【補正対象書類名】図面
【補正対象項目名】図１
【補正方法】変更
【補正の内容】
【図１】
2005520218.tif 000001
【手続補正７】
【補正対象書類名】図面
【補正対象項目名】図２
【補正方法】変更
【補正の内容】
【図２】
2005520218.tif 000002
【手続補正８】
【補正対象書類名】図面
【補正対象項目名】図３
【補正方法】変更
【補正の内容】
【図３】
2005520218.tif 000003